(57)【要約】  受動消去回路網は、送信機から無線で送信される送信信号を受動的に受信する構成を備える送信入力と、受動消去回路網によって処理した後、受動的に上記送信信号を伝送する構成を備える送信出力と、上記送信信号からの望ましくないリークを含む受信信号を受動的に受信する構成を備える受信入力と、受動消去回路網によって処理した後、受動的に上記受信信号を伝送する構成を備える受信出力と、上記受信信号における上記送信信号からの上記望ましくないリークの少なくとも一部をフィードフォワード法で受動的に消去する受動フィードフォワード消去回路と、を有する【選択図】図２
2016504855.tif 000002
【特許請求の範囲】
【請求項１】
送信機から無線で送信される送信信号を受動的に受信する構成を備える送信入力と、
受動消去回路網によって処理した後、受動的に前記送信信号を伝送する構成を備える送信出力と、
前記送信信号からの望ましくないリークを含む受信信号を受動的に受信する構成を備える受信入力と、
受動消去回路網によって処理した後、受動的に前記受信信号を伝送する構成を備える受信出力と、
前記受信信号における前記送信信号からの前記望ましくないリークの少なくとも一部をフィードフォワード法で受動的に消去する受動フィードフォワード消去回路と、
を有する受動消去回路網。
【請求項２】
前記送信出力および前記受信入力は、共通の端子を共用する、請求項１に記載の受動消去回路網。
【請求項３】
前記受動フィードフォワード消去回路は、受動送受切換え器を有する、請求項２に記載の受動消去回路網。
【請求項４】
前記送信信号の一部は、送信周波数帯域の範囲内にあり、
前記受信信号の一部は、前記送信周波数帯域とは異なる受信周波数帯域の範囲内にあり、
前記望ましくないリークは、前記送信周波数帯域内、前記受信周波数帯域内、またはその両方にあり、
前記受動フィードフォワード消去回路は、
前記送信周波数帯域において前記望ましくないリークの少なくとも一部を消去する構成を有する第１の受動消去サブ回路、あるいは、
前記受信周波数帯域において前記望ましくないリークの少なくとも一部を消去する構成を有する第２の受動消去サブ回路を有する、請求項１に記載の受動消去回路網。
【請求項５】
前記第１の受動消去サブ回路は、前記受信周波数帯域の範囲の信号を吸収しないか、あるいは、
前記第２の受動消去サブ回路は、前記送信周波数帯域の範囲の信号を吸収しない、請求項４に記載の受動消去回路網。
【請求項６】
前記第１の受動消去サブ回路は、
前記受信周波数帯域の範囲の信号に対して高い入力インピーダンスを有するか、あるいは、
前記第２の受動消去サブ回路は、
前記送信周波数帯域の範囲の信号に対して高い入力インピーダンスを有する、請求項４に記載の受動消去回路網。
【請求項７】
前記第１の受動消去サブ回路は、実質的に前記送信周波数帯域の範囲の信号のみを通過させる第１の受動バンドパスフィルタを有するか、あるいは、
前記第２の受動消去サブ回路は、実質的に前記受信周波数帯域の範囲の信号のみを通過させる第２の受動バンドパスフィルタを有する、請求項４に記載の受動消去回路網。
【請求項８】
さらに、受動送受切換え器を有し、
前記受動送受切換え器は、
実質的に前記送信周波数帯域の範囲の信号のみを通過させる第３の受動バンドパスフィルタを有するか、あるいは、
実質的に前記受信周波数帯域の範囲の信号のみを通過させる第４の受動バンドパスフィルタを有する、請求項７に記載の受動消去回路網。
【請求項９】
前記第１および第３の受動バンドパスフィルタは、実質的に同じ次数、損失、または帯域外応答を有するか、あるいは、
前記第２および第４の受動バンドパスフィルタは、実質的に同じ次数、損失、または帯域外応答を有する、請求項８に記載の受動消去回路網。
【請求項１０】
前記第１の受動バンドパスフィルタは、前記受信周波数帯域において実質的に平らな振幅応答を有するか、あるいは、
前記第２の受動バンドパスフィルタは、前記送信周波数帯域において実質的に平らな振幅応答を有する、請求項８に記載の受動消去回路網。
【請求項１１】
前記送信信号の一部は、送信周波数帯域の範囲内にあり、
前記受信信号の一部は、前記送信周波数帯域とは異なる受信周波数帯域の範囲内にあり、
前記送信信号または前記受信信号またはその両方は、多重不連続周波数帯域の信号を有する可能性があり、前記送信信号からのリークの受動フィードフォワード消去回路による消去は１つ以上の前記多重不連続周波数帯域の範囲において最適である、請求項１に記載の受動消去回路網。
【請求項１２】
前記受動フィードフォワード消去回路は、受動信号結合器および受動信号分波器を有する、請求項１に記載の受動消去回路網。
【請求項１３】
前記受動フィードフォワード消去回路は、受動アッテネータ、位相シフタまたは遅延ラインを有する、請求項１に記載の受動消去回路網。
【請求項１４】
前記受動フィードフォワード消去回路は、受動電圧結合器、電力結合器、方向性カプラを有する、請求項１に記載の受動消去回路網。
【請求項１５】
前記受動フィードフォワード消去回路は、受動可変同調型回路を有し、当該受動可変同調型回路は、前記望ましくないリークの消去が最適となる単一または複数の周波数バンドを制御する、請求項１に記載の受動消去回路網。
【請求項１６】
前記送信信号の一部は、送信周波数帯域の範囲内にあり、
前記受信信号の一部は、前記送信周波数とは異なる受信周波数帯域の範囲内にあり、
前記望ましくないリークは、前記送信周波数帯域および前記受信周波数帯域の両方の範囲にあり、
前記受動フィードフォワード消去回路は、前記受動フィードフォワード消去回路を前記送信周波数帯域、前記受信周波数帯域またはその両方に同調することを可能にする受動可変同調回路を有する、請求項１に記載の受動消去回路網。
【請求項１７】
前記受動フィードフォワード消去回路は、サーキュレータを有する、請求項１に記載の受動消去回路網。
【請求項１８】
前記受動フィードフォワード消去回路は、アイソレータを有する、請求項１に記載の受動消去回路網。
【請求項１９】
前記受動フィードフォワード消去回路は、前記送信入力における信号に基づいて、前記望まれないリークの消去を最大化するために、前記受動フィードフォワード消去回路を最適化する構成を有するアルゴリズムを含む回路を有する、請求項１に記載の受動消去回路網。
【発明の詳細な説明】
【技術分野】
【０００１】
本発明は、送受切換え器（ｄｕｐｌｅｘｅｒｓ）および共存している（ｃｏｅｘｉｓｔｉｎｇ）無線通信システムのための受動リーク消去回路網（ｐａｓｓｉｖｅ  ｌｅａｋａｇｅ  ｃａｎｃｅｌｌａｔｉｏｎ  ｎｅｔｗｏｒｋｓ）に関する。
【背景技術】
【０００２】
関連出願の相互参照
本出願は、２０１２年１２月１１日に、代理人事件整理番号０２８０８０−０８１８、「全二重無線送受信機のためのフロントエンド・モジュール」という名称で出願された米国仮特許出願６１／７３５，７８３に基づき、優先権を主張する。本出願は、また、２０１３年３月２５日に、代理人事件整理番号０２８０８０−０８７７、「全二重無線送受信機のためのフロントエンド・モジュール」という名称で出願された米国仮特許出願６１／８０５，０７８に基づき、優先権を主張する。各々のこれらの出願のすべての内容は、本願明細書に引用したものとする。
【０００３】
連邦によって後援された調査に関する声明
本発明は、海軍研究事務所（ＯＮＲ）によって授与された助成番号Ｎ００１４−１２−Ｖ−０１３０、および米国国防総省高等研究計画局（ＤＡＲＰＡ）によって授与された助成番号ＨＲ００１１−１２−Ｃ−００９４の下で政府の支援によって作成された。政府は、本発明について一定の権利を有する。
【０００４】
背景
発明の技術分野
この開示は、送信および受信を同時に行う無線通信システム、ならびにそのようなシステムにおいて、受信される信号への送信される信号のリークに関する。
【０００５】
関連技術の説明
無線通信システムにおいて、無線受信機（ＲＸ）は、無線送信機（ＴＸ）が異なる信号を同時に送信しうる間、信号を受信できる。無線送信機（ＴＸ）は、配列される（ｃｏｌｌｏｃａｔｅｄ）か、共用の場所（ｃｏ−ｓｉｔｅ）にあるか、あるいは近接した場所にあってもよい。たとえば、周波数分割双方向（ｆｒｅｑｕｅｎｃｙ  ｄｉｖｉｓｉｏｎ  ｄｕｐｌｅｘ）（ＦＤＤ）無線通信システムにおいて、同じ無線通信のＴＸとＲＸとは、２つの異なる周波数帯であるＴＸ用のｆｔｘと、ＲＸ用のｆｒｘとにおいて、それぞれ同時に動作できる。他の例は、たとえば同時に動作しうるワイ・ファイ（Ｗｉ−Ｆｉ）無線通信機およびセル無線通信機（ｃｅｌｌｕｌａｒ  ｒａｄｉｏ）などの複数無線通信機を備えるスマートフォンである。これは、結果的に、他の無線通信機のＴＸが他の周波数帯ｆＩＮＴで信号を送っている間に、一の無線通信機のＲＸが一の周波数帯ｆｒｘで信号を受けうることになる。
【０００６】
このようなシナリオ（ｓｃｅｎａｒｉｏ）において、無線通信システムのための重要な性能の測定基準は、同時に動作しているＴＸとＲＸとの間の「絶縁（ｉｓｏｌａｔｉｏｎ）」でありうる。上記絶縁は、とくにＴＸ周波数帯の範囲内およびＲＸ周波数帯の範囲内で重要でありうる。ＴＸ周波数帯またはＲＸ周波数帯の範囲内でＲＸに到達するいかなるリークも、著しく受信機を妨げる可能性がある。必要最小限の絶縁は、用途およびシナリオに依存しうる。たとえば、商用のＦＤＤ無線通信機では、ＴＸおよびＲＸ周波数帯において、ＲＸに対するＴＸの絶縁は５０ｄＢ以上必要でありうる。十分に絶縁されていなければ、攻撃者（ａｇｇｒｅｓｓｏｒ）ＴＸ信号は、被害者（ｖｉｃｔｉｍ）ＲＸの感度（ｓｅｎｓｉｔｉｖｉｔｙ）を著しく低下させる可能性があり、結局その適切な動作を妨げうる。
【０００７】
ＦＤＤ無線通信機において、ＴＸ−ＲＸ絶縁を提供することへの普及している方法は、周波数送受切換え器（ｆｒｅｑｕｅｎｃｙ  ｄｕｐｌｅｘｅｒ）を使用することである。
【０００８】
送受切換え器は、３ポート電気回路網（ｔｈｒｅｅ  ｐｏｒｔ  ｅｌｅｃｔｒｉｃａｌ  ｎｅｔｗｏｒｋ）である。１つのポートは、通常、アンテナ（ＡＮＴ）に接続され、１つのポートはＴＸ出力に接続され、そして、１つのポートはＲＸ入力に接続される。送受切換え器の設計の一般的な課題は、ＴＸからＡＮＴまで、およびＡＮＴからＲＸまで低挿入損失を達成する一方で、ＴＸからＲＸまで高絶縁を提供することである。しかしながら、この要件を満たすには、高価な共振器技術（たとえば、バルク超音波（ｂｕｌｋ  ａｃｏｕｓｔｉｃ  Ｗａｖｅ）（ＢＡＷ）共振器）が必要となる可能性がある。さらに、ＦＤＤ無線通信機がサポートする必要がありうる周波数帯の数の新たな成長に伴って、無線通信機の送受切換え器の数も比例して増大する可能性があり、それは結果的に、複雑で計り知れない（ｎｏｎ−ｓｃａｌａｂｌｅ）無線通信システムとなりうる。したがって、電子的に同調できて２つ以上の帯域に対応する可変同調型送受切換え器（ｔｕｎａｂｌｅ  ｄｕｐｌｅｘｅｒ）が、無線通信機の複雑さおよびコストを削減するために極めて望ましくなりうる。しかしながら、音響共振器（ａｃｏｕｓｔｉｃ  ｒｅｓｏｎａｔｏｒｓ）は調整するのが困難でありうる。一方、他の種類の可変同調型共振器は、大幅な損失のない、および／または過度のバルクのない十分な絶縁を提供することができない。
【０００９】
攻撃者ＴＸと被害者ＲＸとの絶縁は、周波数領域における分離の組み合せ、およびカスタマイズされたフィルタリングも使用してきた。上記絶縁は、通常、特定のプラットホームと、無線通信機がより複雑になってより多くの帯域をサポートするにつれて制限しうる、無線通信機がサポートする周波数帯域と、に関係する。
【００１０】
ＴＸとＲＸとの間の絶縁を強化する他の方法は、完全または部分的に攻撃者ＴＸから被害者ＲＸへのリーク信号の振幅と一致するが逆相である消去信号（ｃａｎｃｅｌｌａｔｉｏｎ  ｓｉｇｎａｌ）を生成することである。上記消去信号は、リーク信号と組み合わせられ、それを打ち消して、絶縁を強化する。
【００１１】
この消去方法は、リーク信号と一致する消去信号を生成するパス（ｐａｔｈ）中において、能動回路（たとえば増幅器）を必要としうる。能動回路の導入は、過剰雑音を導入し、非線形性に起因してパワー処理を制限しうる、および／または電力を消費するので、極めて望ましくない可能性がある。さらに、上記の方法は、被害者ＲＸの信号パスの下流でリーク信号を打ち消しうる。これは、被害者ＲＸの上流の信号パスが線形であることを要求することがあり、今度は、システムのＲＦパワー処理能力に制限を課す可能性がある。リーク信号との結合がフィードバック消去において得られる場合、さらに、重要な安定条件も考慮される必要がある。
【００１２】
ＴＸおよびＲＸが同じ帯域で同時に動作する無線通信システムの分類があり、よく同じチャンネルであるといわれる。上記のシナリオにおいて、いかなる周波数分離（ｆｒｅｑｕｅｎｃｙ  ｓｅｐａｒａｔｉｏｎ）も、ＲＸおよびＴＸの間にあってはならない。したがって、ＴＸ−ＲＸ絶縁は、いかなるバンドパス・フィルタリング、または類似した回路によっても達成されえない。ＲＸの適切な動作は、その結果、同じ無線通信機の自己干渉するＴＸ信号の消去に大きく依存しうる。ＲＸおよびＴＸの出力信号電力に対して要求される感度に応じて、１００ｄＢから１３０ｄＢの全体的な絶縁が必要でありうる。このような高いレベルの絶縁は、無線通信機のフロントエンドにおける１回の消去ステップによって達成するのは困難かもしれない。さらに、ＲＸに到達する他の周波数帯の他の干渉信号にフィルタをかけるために付加的なフィルタリングが必要かもしれない。
【発明の概要】
【００１３】
概要
受動消去回路網は、送信機から無線で送信される送信信号を受動的に受信する構成を備える送信入力と、前記受動消去回路網によって処理した後、受動的に前記送信信号を伝送する構成を備える送信出力と、前記送信信号からの望ましくないリークを含む受信信号を受動的に受信する構成を備える受信入力と、前記受動消去回路網によって処理した後、受動的に前記受信信号を伝送する構成を備える受信出力と、前記受信信号における前記送信信号からの前記望ましくないリークの少なくとも一部をフィードフォワード法で受動的に消去する受動フィードフォワード消去回路と、を有する。
【００１４】
前記送信出力および前記受信入力は、共通の端子を共用しうる。
【００１５】
前記受動フィードフォワード消去回路は、受動送受切換え器を有しうる。
【００１６】
前記送信信号の一部は、送信周波数帯域の範囲内にありえ、前記受信信号の一部は、前記送信周波数帯域とは異なる受信周波数帯域の範囲内にありえ、前記望ましくないリークは、前記送信周波数帯域内、前記受信周波数帯域内、またはその両方にありえ、前記受動フィードフォワード消去回路は、前記送信周波数帯域において前記望ましくないリークの少なくとも一部を消去する構成を有する第１の受動消去サブ回路、あるいは、前記受信周波数帯域において前記望ましくないリークの少なくとも一部を消去する構成を有する第２の受動消去サブ回路を有しうる。
【００１７】
前記第１の受動消去サブ回路は、前記受信周波数帯域の範囲の信号に対して高い入力インピーダンスを有しうる。前記第２の受動消去サブ回路は、前記送信周波数帯域の範囲の信号に対して高い入力インピーダンスを有しうる。
【００１８】
前記第１の受動消去サブ回路は、実質的に前記送信周波数帯域の範囲のみの信号を通過させる第１の受動バンドパスフィルタを有しうる。前記第２の受動消去サブ回路は、実質的に前記受信周波数帯域の範囲のみの信号を通過させる第２の受動バンドパスフィルタを有しうる。
【００１９】
前記受動消去回路網は、受動送受切換え器を有しうる。前記受動送受切換え器は、実質的に前記送信周波数帯域の範囲のみの信号を通過させる第３の受動バンドパスフィルタを有するか、あるいは、実質的に前記受信周波数帯域の範囲のみの信号を通過させる第４の受動バンドパスフィルタを有する。前記第１および第３の受動バンドパスフィルタは、実質的に同じ次数（ｏｒｄｅｒ）、損失、または帯域外応答（ｏｕｔ  ｏｆ  ｂａｎｄ  ｒｅｓｐｏｎｓｅｓ）を有しうる。前記第２および第４の受動バンドパスフィルタは、実質的に同じ次数、損失、または帯域外応答を有しうる。前記第１の受動バンドパスフィルタは、前記受信周波数帯域において実質的に平らな振幅応答を有しうる。前記第２の受動バンドパスフィルタは、前記送信周波数帯域において実質的に平らな振幅応答を有しうる。
【００２０】
前記送信または前記受信信号またはその両方は、多重不連続周波数帯域（ｍｕｌｔｉｐｌｅ  ｎｏｎ−ｃｏｎｔｉｇｕｏｕｓ  ｆｒｅｑｕｅｎｃｙ  ｂａｎｄｓ）の信号を有しうる。前記送信信号からのリークの受動フィードフォワード消去回路による前記消去は１つ以上の前記多重不連続周波数帯域の範囲において最適である。
【００２１】
前記受動フィードフォワード消去回路は、受動信号結合器および受動信号分波器を有しうる。
【００２２】
前記受動フィードフォワード消去回路は、受動アッテネータ、位相シフタ（ｐｈａｓｅ  ｓｈｉｆｔｅｒ）または遅延ライン（ｄｅｌａｙ  ｌｉｎｅ）を有しうる。
【００２３】
前記受動フィードフォワード消去回路は、受動電圧結合器（ｐａｓｓｉｖｅ  ｖｏｌｔａｇｅ  ｃｏｍｂｉｎｅｒ）、電力結合器（ｐｏｗｅｒ  ｃｏｍｂｉｎｅｒ）、方向性カプラ（ｄｉｒｅｃｔｉｏｎａｌ  ｃｏｕｐｌｅｒ）を有しうる。
【００２４】
前記受動フィードフォワード消去回路は、受動可変同調型回路（ｐａｓｓｉｖｅ  ｔｕｎａｂｌｅ  ｃｉｒｃｕｉｔ）を有しうる。前記受動可変同調型回路は、前記望ましくないリークの消去が最適となる単一または複数の周波数バンドを制御する。
【００２５】
前記受動フィードフォワード消去回路は、前記受動フィードフォワード消去回路を前記送信周波数帯域、前記受信周波数帯域またはその両方に同調することを可能にする受動可変同調回路を有しうる。
【００２６】
前記受動フィードフォワード消去回路は、サーキュレータを有しうる。
【００２７】
前記受動フィードフォワード消去回路は、アイソレータを有しうる。
【００２８】
前記受動フィードフォワード消去回路は、前記送信入力における信号に基づいて、前記望まれないリークの消去を最大化するために、前記受動フィードフォワード消去回路を最適化する構成を有するアルゴリズムを含む回路を有しうる。
【００２９】
これら、ならびに他の構成要素、ステップ、特徴、目的、便益および利点が、以下の例示的な実施形態の詳細な説明、添付の図面および特許請求の範囲を検討することにより明らかになるだろう。
【図面の簡単な説明】
【００３０】
図面の簡単な説明
図面は、実施形態を反映したものである。それらが、全ての実施形態を例示するというわけではない。他の実施態様が、追加的に、または代わりに使用されうる。明らかな、または不必要な詳細は、スペースの節約またはより有効な説明のために省略されうる。いくつかの実施形態は、追加的な構成要素またはステップとともに実施されうる、および／または記載される構成要素またはステップのすべてを含まずに実施されうる。同じ数字が異なる図面において現れるときに、それは同一または類似した構成要素またはステップを参照する。
【００３１】
図１は、受動消去回路網の一例を示す。
【００３２】
図２は、受動消去の他の例を示す。
【００３３】
図３は、送受切換え器および受動消去回路網を含む受動消去に基づく送受切換え器を例示する。
【００３４】
図４は、受動消去回路網の他の例を示す。
【００３５】
図５は、受動消去回路網の他の例を示す。
【００３６】
図６は、複数の周波数において無限に近い量（ｎｅａｒ  ｉｎｆｉｎｉｔｅ  ａｍｏｕｎｔ）の消去を達成しうる受動消去回路網の一例を示す。
【００３７】
図７は、受動消去に基づく送受切換え器の他の例である。
【００３８】
図８は、「ｎ」個の被害者受信機および「ｍ」個の攻撃者送信機を有する無線通信システムにサービスを提供する受動消去回路網の一例を示す。「ｍ」および「ｎ」は、各々１以上の自然な整数である。
【００３９】
図９、図１０および図１１は、受動消去に基づく送受切換え器の実施形態を例示する。
【００４０】
図１２は、受動消去に基づく送受切換え器の一例である。
【００４１】
図１３は、受動消去に基づく可変同調型送受切換え器の一例を示す。
【００４２】
図１４は、受動消去回路網の他の例である。
【００４３】
図１５は、受動消去回路網を最適化するために使用できるアルゴリズムの一例を示す。
【図１】受動消去回路網の一例を示すブロック図である。
【図２】受動消去の他の例を示すブロック図である。
【図３】送受切換え器および受動消去回路網を含む受動消去に基づく送受切換え器を例示するブロック図である。
【図４】受動消去回路網の他の例を示すブロック図である。
【図５】受動消去回路網の他の例を示すブロック図である。
【図６】複数の周波数において無限に近い量の消去を達成しうる受動消去回路網の一例を示すブロック図である。
【図７】受動消去に基づく送受切換え器の他の例である。
【図８】「ｎ」個の被害者受信機および「ｍ」個の攻撃者送信機を有する無線通信システムにサービスを提供する受動消去回路網の一例を示すブロック図である。
【図９】受動消去に基づく送受切換え器の実施形態を例示するブロック図である。
【図１０】受動消去に基づく送受切換え器の実施形態を例示するブロック図である。
【図１１】受動消去に基づく送受切換え器の実施形態を例示するブロック図である。
【図１２】受動消去に基づく送受切換え器の一例である。
【図１３】受動消去に基づく可変同調型送受切換え器の一例を示すブロック図である。
【図１４】受動消去回路網の他の例である。
【図１５】受動消去回路網を最適化するために使用できるアルゴリズムの一例を示すフローチャートである。
【発明を実施するための形態】
【００４４】
例示的な実施形態の詳細な説明
以下、例示の実施形態について説明する。他の実施態様が、追加的に、または代わりに使用されうる。明らかな、または不必要な詳細は、スペースの節約またはより有効な説明のために省略されうる。いくつかの実施形態は、追加的な構成要素またはステップとともに実施されうる、および／または記載される構成要素またはステップのすべてを含まずに実施されうる。
【００４５】
以下、様々な革新的なシステム、アーキテクチャ、ならびに周波数送受切換え器および共存している無線通信システムに対する受動フィードフォワード消去およびその応用のための方法論について説明される。
【００４６】
これから検討される構成要素および回路は、すべて受動的でありうる。受動的な構成要素（ｐａｓｓｉｖｅ  ｃｏｍｐｏｎｅｎｔ）または回路は、いかなるパワー利得も提供しないものである。上記の受動的な構成要素および回路は、１つ以上の抵抗器、コンデンサ（ｃａｐａｃｉｔｏｒ）、インダクタ、共振器、音響共振器、コイル、トランス、バラン、分布素子（ｄｉｓｔｒｉｂｕｔｅｄ  ｅｌｅｍｅｎｔｓ）（たとえば、伝送ライン、同軸共振器またはこれらのあらゆる組み合せ）を含む。受動的な構成要素および回路は、スイッチも含みうる。いかなるパワー利得も提供しないトランジスタが、スイッチのために使用されることができ、また、その結果、受動的であると考慮される。
【００４７】
受動的な構成要素を使用することは、性能を低下させるノイズまたは非線形性を生成することなく、そして、外部電源を必要とすることなく、リーク消去の度合いを強化できる。
【００４８】
図１は、受動消去回路網の一例を示す。受動消去回路網は、たとえば図１においてポート１〜４で示されるように４ポート電気回路網であってもよい。上記回路網は、１つ以上の無線通信機を有する無線通信システムにおいて使用されうる。ここで、１つの無線通信機のＲＸは、同一または他の無線通信機の攻撃者送信機（ＴＸ）の被害者である。
【００４９】
ポート１は、ＲＸに提供されることになっている信号を受けうる。受信信号は、特定の周波数帯（ＲＸ周波数帯）でありうる。
【００５０】
ポート２は、消去処理の後、ＲＸ信号を出力しうる。
【００５１】
ポート３は、攻撃者の発生源からＴＸ信号またはそのコピーを受けうる。送信信号は、特定の周波数帯（ＴＸ周波数帯）の範囲内でありうる。
【００５２】
ポート４は、消去処理の後、攻撃者ＴＸ信号を出力しうる。
【００５３】
受動消去回路網の非存在下では、ＴＸからＲＸまで著しいリークがある可能性があり、被害者ＲＸの性能を低下させる。リーク・パス（ｌｅａｋａｇｅ  ｐａｔｈ）の一例は、共存シナリオ（ｃｏｅｘｉｓｔｅｎｃｅ  ｓｃｅｎａｒｉｏ）において、信号が攻撃者の無線通信機のアンテナから、被害者の無線通信機のアンテナまで漏れる時である。受動消去回路網は、無線通信システムに挿入されうる。それは、２つの受動消去機能回路１０３および１０５、ならびに２つの信号結合器１０７および１０９を含みうる。受動消去回路網１０１と、そのすべての構成要素とは、完全に受動的でもよく、相互伝達関数（ｒｅｃｉｐｒｏｃａｌ  ｔｒａｎｓｆｅｒ  ｆｕｎｃｔｉｏｎ）を有しうる。たとえば、信号結合器（ｓｉｇｎａｌ  ｃｏｍｂｉｎｅｒ）１０７は、相互応答（ｒｅｃｉｐｒｏｃａｌ  ｒｅｓｐｏｎｓｅ）を有する３ポート受動回路網でありうる。
【００５４】
ポート１からポート２、およびポート３からポート４の信号損失は、最小でありうる。したがって、受動消去回路網の挿入は、無線通信システムにおいて著しい信号挿入損失を生成しえない。
【００５５】
受動消去回路網のポート３からポート２の伝達関数が、ＴＸからＲＸまでのリーク伝達関数と、逆相で、できる限り近接して一致するように、受動消去機能回路１０３および１０５は設計されうる。したがって、受動消去回路網は、完全または部分的にＴＸからＲＸへのリーク信号を消去することができ、全体的な絶縁を強化しうる。たとえば、少なくとも４０、５０または６０ｄＢの全体的な絶縁が達成されうる。両方の受動消去機能回路１０３および１０５を含めることにより、受動消去回路網が、絶縁が重要であって概して重要な周波数帯であるＲＸ周波数帯およびＴＸ周波数帯における全体的な絶縁を強化するのを可能にする。信号結合器１０７と結合される受動消去機能回路１０３は、ＲＸ周波数帯の絶縁を強化するために構成されうる。一方、信号結合器１０９と結合される受動消去機能回路１０５は、ＴＸ周波数帯の絶縁を強化するために構成されうる。
【００５６】
上記２つの受動消去機能回路１０３および１０５、ならびに２つの信号結合器１０７および１０９は、１つ以上の下記の特性を有しうる。
・各々の信号結合器１０７および１０９は、そのポート１および２からの信号を結合することができ、結合された信号をそのポート３に出力できる。各々の結合器のポート１からポート３への信号損失は、最小でありうる。
・受動消去機能回路１０３は、ＲＸ帯域において高入力インピーダンスを備える受動伝達関数（ｐａｓｓｉｖｅ  ｔｒａｎｓｆｅｒ  ｆｕｎｃｔｉｏｎ）を有することができ、その出力において消去信号をつくるために振幅および位相について調整されうる。上記消去信号は、リーク電流と組み合わされるとき、周波数帯域の全体または一部分にわたり、完全または部分的に上記リーク信号を消去しうる。
・受動消去機能回路１０５は、ＴＸ帯域において高入力インピーダンスを備える受動伝達関数を有することができ、その出力において消去信号をつくるために振幅および位相について調整されうる。上記消去信号は、リーク電流と組み合わされるとき、周波数帯域の全体または一部分にわたり、完全または部分的に上記リーク信号を消去しうる。
【００５７】
図２は、他の受動消去の一例を示す。上記受動消去回路網は、再び、たとえば図２においてポート１〜４で示されるように、４ポート電気回路網であってもよい。それは、一つ以上の無線通信機を有する無線通信システムにおいて使用されうる。ここで、１つの無線通信機のＲＸは、同一または他の無線通信機の攻撃者送信機（ＴＸ）の被害者である。
【００５８】
ポート１は、ＲＸに提供されることになっている信号を受けうる。
【００５９】
ポート２は、消去処理の後、ＲＸ信号を出力しうる。
【００６０】
ポート３は、攻撃者の発生源からＴＸ信号またはそのコピーを受けうる。
【００６１】
ポート４は、消去処理の後、攻撃者ＴＸ信号を出力できる。
【００６２】
受動消去回路網の非存在下では、ＴＸからＲＸまで著しいリークがある可能性があり、被害者ＲＸの性能を低下させる。リーク・パスの一例は、共存シナリオにおいて、信号が攻撃者の無線通信のアンテナから、被害者の無線通信のアンテナまで漏れる時である。受動消去回路網は、無線通信システムに挿入されうる。
【００６３】
受動消去回路網は、受動消去機能回路２０３、信号結合器２０５、および信号分波器（ｓｉｇｎａｌ  ｓｐｌｉｔｔｅｒ）２０７を含むことができる。受動消去回路網中のすべての構成要素は、完全に受動的でもよくて、その結果、相互伝達関数を有する。たとえば、信号結合器２０５は、相互応答を有する３ポート受動回路網であってもよい。ポート１からポート２、およびポート３からポート４の信号損失は、最小でありうる。したがって、受動消去回路網の挿入は、元の無線通信システムの信号挿入損失を著しく低下させない。受動消去回路網のポート３からポート２の伝達関数が、ＴＸからＲＸまでのリーク伝達関数と、逆相で、できる限り近接して一致するように、受動消去機能回路２０３は設計されうる。したがって、受動消去回路網は、完全または部分的にＴＸからＲＸへのリーク信号を消去することができ、全体的な絶縁を強化できる。たとえば、少なくとも４０、５０または６０ｄＢの全体的な絶縁が達成されうる。
【００６４】
上記受動消去回路網は、受動消去機能回路２０３、信号結合器２０５、および受動信号分波器２０７を有し、１つ以上の下記の特性を有する。
・上記信号分波器２０７は、そのポート３からの信号を２つの信号に分波することができて、それらをそのポート１および２に出力できる。ポート３からポート１への信号損失は、最小でありうる。
・信号結合器２０５は、そのポート１および２からの信号を結合することができて、結合された信号をそのポート３に出力できる。ポート１からポート３への信号損失は、最小でありうる。
・上記受動消去機能回路は、受動伝達関数を有することができて、その出力おいて消去信号をつくるために振幅および位相について調整されうる。上記消去信号は、リーク電流と組み合わされるとき、上記リークを完全または部分的に消去しうる。
【００６５】
図３は、送受切換え器３０３および受動消去回路網３０５を含む受動消去に基づく送受切換え器の一例を示す。受動消去回路網３０５は、たとえば、図１または図２に示される受動消去回路網うちのいずれかのタイプでありうる。攻撃者ＴＸおよび被害者ＲＸは、同じＦＤＤ無線通信機に属する可能性があり、たとえば少なくとも４０、５０または６０ｄＢのＴＸからＲＸへの高絶縁性を必要としうる。受動消去に基づく送受切換え器（ｐａｓｓｉｖｅ  ｃａｎｃｅｌｌａｔｉｏｎ−ｂａｓｅｄ  ｄｕｐｌｅｘｅｒ）は、図３に示すようにポート１〜３を有しうる。ポート１は、ＲＸ信号を受信し、ＴＸ信号を送信することができ、アンテナまたはアンテナ・スイッチに接続されうる。ポート２は、ＲＸ信号を出力することができ、受信機入力に接続されうる。ポート３は、ＴＸ信号を入力することができ、送信機出力に接続されうる。ポート１からポート２、およびポート３からポート１への信号損失は、最小でありうる。ポート３からポート２への絶縁は、高くなりうる。
【００６６】
送受切換え器３０３は、ポート２とポート３と間において低い絶縁、たとえば４０、３０または２０ｄＢ未満の絶縁を有しうる従来の送受切換え器３０３であってもよい。上記受動消去に基づく送受切換え器は、他の受動的な構成要素を含むことができる。上記受動消去に基づく送受切換え器は、全体的なアーキテクチャのポート２およびポート３との間の絶縁を強化できる。したがって、上記受動消去に基づく送受切換え器は、そのポート２およびポート３との間に優れた絶縁を伴う優れた送受切換え器になりうる。ポート１とポート２、およびポート３とポート１との間において非常に低い信号損失を可能とするため、ポート２とポート３との間において低い絶縁を有する従来の送受切換え器３０３を伴う受動消去に基づく送受切換え器３０１が使用されうる。上記受動消去に基づく送受切換え器のポート１からポート２、およびポート３からポート１の信号損失は、従来の送受切換え器３０３のそれらに従いうる。上記受動消去に基づく送受切換え器のポート２とポート３との間の全体的な絶縁が優れるように、受動消去回路網５０５は絶縁を強化できる。受動消去回路網３０５は、受動消去に基づく送受切換え器のポート１からポート２、およびポート３からポート１の信号損失に対していかなる大きな影響を与えることはないかもしれない。その結果、上記受動消去に基づく送受切換え器は、従来の送受切換え器（たとえば、従来の送受切換え器３０３）と比較すると、優れた損失および優れた絶縁を伴う送受切換え器になりうる。上記受動消去に基づく送受切換え器は、１つ以上の下記の特性を有する。
・受動消去回路網３０５は、ポート３からポート２まで絶縁を強化できる。
・従来の送受切換え器３０３は、下記の特性を備える受動機能を提供しうる。
○ＲＸ帯域において、ポート１からポート２への最小の信号損失
○ＴＸ帯域において、ポート３からポート１への最小の信号損失
○ポート３からポート２への絶縁
図４は、受動消去回路網の他の例を示す。受動消去回路網は、
・受動ＴＸ帯域のバンドパスフィルタおよびインピーダンス整合回路網４０３
・受動ＲＸ帯域のバンドパスフィルタおよびインピーダンス整合回路網４０５
・可変アッテネータおよび位相シフタを含みうる受動消去回路網４０７
・可変アッテネータおよび位相シフタを含みうる第２の受動消去回路網４０９
・電力結合器（たとえば方向性カプラ）でありうる受動信号結合器４１１
・電力結合器（たとえば方向性カプラ）でありうる第２の受動信号結合器４１３を含みうる。
【００６７】
図５は、受動消去回路網の他の例である。受動消去回路網は、
・受動ＴＸ帯域のバンドパスフィルタおよびインピーダンス整合回路網４０３
・受動ＲＸ帯域のバンドパスフィルタおよびインピーダンス整合回路網４０５
・可変アッテネータおよび位相シフタを含むことができる受動消去回路網４０７
・可変アッテネータおよび位相シフタを含むことができる第２の受動消去回路網４０９
・電圧結合器（たとえばトランスまたはバラン）であってもよい受動信号結合器５０３
・電圧結合器（たとえばトランスまたはバラン）であってもよい受動信号結合器５０５を含みうる。
【００６８】
図４および図５に示される受動消去回路網は、各々の受動消去回路網４０７および４０９に関連して、１つの周波数において無限に近い量の消去を達成しうる。ＴＸ帯域またはＲＸ帯域の他の周波数における消去は、消去パス伝達関数がどれくらいよくリーク・パス伝達関数と一致するかに依存しうる。
【００６９】
図６は、複数の周波数において無限に近い量の消去を達成しうる受動消去回路網の一例を示す。受動消去回路網は、
・受動ＴＸ帯域のバンドパスフィルタおよびインピーダンス整合回路網
・受動ＲＸ帯域のバンドパスフィルタおよびインピーダンス整合回路網４０５
・信号分波器、結合器、可変アッテネータ、位相シフタおよび可変遅延ラインを含みうる受動消去回路網６０３
・信号分波器、結合器、可変アッテネータ、位相シフタおよび可変遅延ラインを含むことができる第２の受動消去回路網６０５
・電圧または電力結合器（たとえばカプラ、トランスまたはバラン）でありうる受動信号結合器１０７
・電圧または電力結合器（たとえばカプラ、トランスまたはバラン）でありうる受動信号結合器
を含みうる。
【００７０】
図７は、受動消去に基づく送受切換え器の他の例である。受動消去送受切換え器は、
・受動ＴＸ帯域のバンドパスフィルタおよびインピーダンス整合回路網７０５
・受動ＲＸ帯域のバンドパスフィルタおよびインピーダンス整合回路網７０３
・図１または図３〜図６において例示される受動消去回路網のいずれかでありうる受動消去回路網７０７を含みうる。
【００７１】
受動消去に基づく送受切換え器が図４〜図６において例示される受動消去回路網のいずれかを使用する場合、バンドパスフィルタ４０３および４０５は、それぞれ、完全または部分的にフィルタ７０３および７０５の応答と一致する応答を有しうる。具体的には、バンドパスフィルタ４０３はバンドパスフィルタ７０３と同じでもよい。そして、バンドパスフィルタ４０５はバンドパスフィルタ７０５と同じでもよい。
【００７２】
図８は、「ｎ」個の被害者受信機および「ｍ」個の攻撃者送信機を有する無線通信システムにサービスを提供する受動消去回路網の一例を示す。「ｍ」および「ｎ」は、各々１以上の自然な整数である。受動消去回路網は、「２（ｍ＋ｎ）」ポート電気回路網であってもよい。ポート１からポートｎ信号は、無線通信機の被害者受信機に提供されることになっている信号ＲＸ１ｉからＲＸｎｉを受けることができる。ポートｎ＋１からポート２ｎは、消去処理の後、ＲＸ信号ＲＸ１ｏからＲＸｎｏを出力できる。ポート２ｎ＋１からポート２ｎ＋ｍは、攻撃者信号源ＴＸ１ｉからＴＸｍｉまでのＴＸ信号を受けることができる。ポート２ｎ＋ｍ＋１からポート２（ｍ＋ｎ）は、消去処理の後、攻撃者ＴＸ信号ＴＸ１ｏからＴＸｍｏを出力できる。
【００７３】
受動消去回路網は、それぞれ、図１または図３〜図６に示される４ポート受動消去回路網のいずれかでありうる「ｍ，ｎ」４ポート受動消去回路網を含みうる。各々の４ポート受動消去回路網は、「ｍ」攻撃者ＴＸ信号のうちの１つから、「ｎ」被害者ＲＸ信号のうちの１つまでの絶縁を強化できる。図８に示される受動消去回路網が、共存している複数の無線通信機の絶縁を強化するために使用されうる。受動消去回路網は、また、１つのチャンネル、マルチバンド、チャンネル集合（ｃｈａｎｎｅｌ  ａｇｇｒｅｇａｔｅｄ）、１つのアンテナ、複数のアンテナまたは上記の無線通信システムのあらゆる組合せの絶縁増強のための１つまたは複数の送受切換え器を伴って結合されうる。
【００７４】
すべての提案された受動消去回路網および受動消去に基づく送受切換え器は、消去帯域および消去帯域幅を伴ってもよい。上記消去帯域は、ＲＸとＴＸとの間の全体的な絶縁が、所定値（たとえば４０、５０または６０ｄＢ）より良い周波数帯として定義されうる。上記消去帯域は、受動消去回路網内部の伝達関数に応じて、単一の周波数帯、または複数の隣接または非隣接帯域でありうる。したがって、狭帯域、広帯域および同時（ｃｏｎｃｕｒｒｅｎｔ）マルチバンド受動消去を伴う受動消去回路網および受動消去に基づく送受切換え器が実現されうる。加えて、受動消去回路網および受動消去に基づく送受切換え器は、それぞれ、可変同調型である消去帯域を有しうる。たとえば、上記アッテネータの減衰、または受動消去回路網４０７、４０９、６０３または６０５の位相シフタの位相のような、消去プロファイルの可変同調性（ｔｕｎａｂｉｌｉｔｙ）（たとえば消去帯域の可変同調性）は、受動回路網の適切なパラメータを調整することによって達成されうる。
【００７５】
固定周波数帯消去（ｆｉｘｅｄ  ｆｒｅｑｕｅｎｃｙ  ｂａｎｄ  ｃａｎｃｅｌｌａｔｉｏｎ）または固定周波数送受切換え器（ｆｉｘｅｄ  ｆｒｅｑｕｅｎｃｙ  ｄｕｐｌｅｘｅｒｓ）ともいわれる、前述した事項のすべての１つの拡張は、「可変同調型」受動消去回路網および「可変同調型」受動消去に基づく送受切換え器の１つの分類である。可変同調型送受切換え器または可変同調型受動消去回路網は、送受切換え器または受動消去回路網でありえ、そのＲＸ帯域（ｆｒｘ）および／またはＴＸ帯域（ｆｔｘ）は可変であるか、あるいは調整されうる。図３および図７に示される受動消去に基づく送受切換え器と同様に、図１〜図８に示される受動消去回路網は、各々少数またはすべての受動的な構成要素の各々が同調能力を有しているとき、それぞれ同調可能にされうる。送受切換え器または受動消去回路網のいかなるパラメータ（たとえば各々のＲＸまたはＴＸ周波数帯の送受切換え器中心周波数または帯域幅）も、調整（ｔｕｎｅ）されうる。
【００７６】
たとえば、ＴＸ帯域フィルタ７０３および４０３が可変同調型フィルタとして具体化されるときに、可変同調型ＴＸ帯域を伴う受動消去に基づく送受切換え器が実現されうる。同様に、ＲＸ帯域フィルタ７０５および４０５が可変同調型フィルタである場合、可変同調型ＲＸ帯域を伴う受動消去に基づく可変同調型送受切換え器が実現されうる。上記２つは、また、結合されうる。
【００７７】
図１３は、受動消去に基づく可変同調型送受切換え器の一例を示す。それは、
・ＴＸ帯域可変同調型バンドパスフィルタ１３０５
・ＲＸ帯域可変同調型バンドパスフィルタ１３０３
・可変同調型整合回路網は、１３１１および１３１３
・ＴＸ帯域可変同調型バンドパスフィルタ１３０７
・ＲＸ帯域可変同調型バンドパスフィルタ１３０９
・可変同調型整合回路網１３１５および１３１７
・信号分波器および結合器、複数の可変アッテネータ（ｍｕｌｔｉｐｌｅ  ａｄｊｕｓｔａｂｌｅ  ａｔｔｅｎｕａｔｏｒｓ）および位相シフタ、および可変遅延ライン、を含むことができ、そのいずれまたはすべてが可変同調型でありうる、可変同調型受動消去回路網１３１９
・信号分波器および結合器、複数の可変アッテネータおよび位相シフタ、および可変遅延ライン、を含むことができ、そのいずれまたはすべてが可変同調型でありうる、第２の可変同調型受動消去回路網１３２１
・電圧または電力結合器、たとえば方向性カプラ、トランスまたはバランでありうる受動信号結合器１３２３
・電圧または電力結合器、たとえば方向性カプラ、トランスまたはバランでありうる第２の受動信号結合器１３２５を含みうる。
【００７８】
整合回路網１３１１および１３１３とともに、可変同調型フィルタ１３０３および１３０５は可変同調型送受切換え器（従来の送受切換え器３０３の実施形態の一例）を形成しうる。フィルタ１３０３および１３０９は、完全または部分的に一致する応答を有しうる。とくに、それらは、同じフィルタであってもよい。フィルタ１３０５および１３０７は、完全または部分的に一致する応答を有しうる。とくに、それらは、同じフィルタであってもよい。
【００７９】
既存であるか新規なデバイスおよび部品技術およびそれらの組合せは、検討された受動消去回路網および受動消去に基づく送受切換え器における受動ブロックを実行するために用いることができる。例として、音響共振器に基づく技術（ａｃｏｕｓｔｉｃ  ｒｅｓｏｎａｔｏｒ−ｂａｓｅｄ  ｔｅｃｈｎｏｌｏｇｉｅｓ）、電磁共振器に基づく技術（ｅｌｅｃｔｒｏｍａｇｎｅｔｉｃ  ｒｅｓｏｎａｔｏｒ−ｂａｓｅｄ  ｔｅｃｈｎｏｌｏｇｉｅｓ）、集積受動デバイス技術（ｉｎｔｅｇｒａｔｅｄ  ｐａｓｓｉｖｅ  ｄｅｖｉｃｅ  ｔｅｃｈｎｏｌｏｇｉｅｓ）、表面実装部品受動技術（ｓｕｒｆａｃｅ  ｍｏｕｎｔｅｄ  ｃｏｍｐｏｎｅｎｔ  ｐａｓｓｉｖｅ  ｔｅｃｈｎｏｌｏｇｉｅｓ）、集積スイッチ技術（ｉｎｔｅｇｒａｔｅｄ  ｓｗｉｔｃｈ  ｔｅｃｈｎｏｌｏｇｉｅｓ）、可変同調型ＭＥＭＳコンデンサ技術、可変同調型ＢＳＴコンデンサ技術、可変同調型ＳＯＩコンデンサ、可変同調型ＳＯＳコンデンサまたは可変同調型ＣＭＯＳコンデンサ技術、サーキュレータまたはアイソレータに基づく技術が挙げられる。すべての技術がすべてのアーキテクチャにとって可能であるというわけではないが、多くの組合せがある。
【００８０】
具体的には、受動消去機能回路１０３、１０５または２０３のいずれか、または従来の送受切換え器３０３は、その構成の一部として、フィルタ伝達関数を使用できる。フィルタ伝達関数は、個別、シリコンチップに集積化、あるいはプリント基板（ＰＣＢ）またはパーケージに組み込まれた集中受動構成要素（ｌｕｍｐｅｄ  ｐａｓｓｉｖｅ  ｃｏｍｐｏｎｅｎｔｓ）の使用を含む、固定および可変同調型またはスイッチ要素を組み合わせる種々の方法によって実施されうる。それらは、また、ＰＣＢ、シリコンチップ、パッケージまたは他の電磁型共振器（たとえばセラミックまたは他の誘電体共振器）のいずれでも得られる、より低いＱの電気共振器を使用して実行されうる。加えて、共振器は、ＭＥＭｓ、ＳＡＷおよびＢＡＷ型を含む、機械または音響共振器に基づいてもよい。可変同調型構成要素は、シリコン、シリコン・オン・インシュレータ（ＳＯＩ）、シリコン・オン・サファイア（ＳＯＳ）上のデジタル可変同調型コンデンサ、あるいは可変同調型ＰＩＮダイオード、または、たとえばＢＳＴの多様な形態である可変同調型誘電体材料からのコンデンサに加えて、ＭＥＭＳ可変同調型コンデンサでありうる。
【００８１】
受動消去機能回路１０３、１０５または２０３のいずれか、または従来の送受切換え器３０３は、その構成の一部として、フィルタ伝達関数を使用できる。フィルタ伝達関数は、はしご、結合された共振器ベース、くし形線路（ｃｏｍｂ−ｌｉｎｅ）、チェビシェフ、バターワース、ベッセル、または楕円を含む、種々のフィルタトポロジおよび合成方法によって実施されうる。
【００８２】
受動消去機能回路１０３、１０５または２０３のいずれかは、その構造の一部として、位相シフタを使用できる。位相シフタ機能は、反射タイプ、ベクトル変調器および狭帯域フィルタベース（ｎａｒｒｏｗ−ｂａｎｄ  ｆｉｌｔｅｒ  ｂａｓｅｄ）を含む、種々の受動トポロジによって実行されうる。受動消去に基づく送受切換え器は、ＲＸおよびＴＸポートを同じアンテナに接続するためにサーキュレータを使用できる。上記サーキュレータは、ＴＸからＲＸまで十分な絶縁を有することができない可能性がある。したがって、受動消去回路網が使用されうる。
【００８３】
図９、図１０および図１１は、受動消去に基づく送受切換え器の実施形態を例示する。上記送受切換え器は、下記を含みうる。
・アンテナ・ポートをＴＸおよびＲＸで共用するためのサーキュレータ９０３
・受動消去回路網４０７
・電力分割器９０５または他のサーキュレータ１１０５でありうる信号分波器
・１８０°ハイブリッド１００３でありうる信号結合器２０５を含むことができる。
【００８４】
受動消去に基づく送受切換え器は、ＲＸおよびＴＸポートを同じアンテナに接続するためにアイソレータを使用できる。受動消去回路網は、ＴＸからＲＸまで絶縁を強化するために使用されうる。
【００８５】
図１２は、受動消去に基づく送受切換え器の一例である。上記送受切換え器は、
・ＴＸをアンテナ・ポートに接続するアイソレータ１２０３
・２つの受動消去回路網１２０９および１２０７、これらは、それぞれ信号分波器および結合器、複数の可変アッテネータおよび位相シフタ、可変遅延ライン、およびバンドパスフィルタを含むことができ、そのいずれか、またはすべてが可変同調型でありうる。
・信号結合器１２０５を含みうる。
【００８６】
受動消去回路網１２０７または１２０９、または両方のパラメータは、ＴＸからＲＸまで絶縁を強化するように調整されうる。
【００８７】
受動消去回路網および受動消去送受切換え器は、最適の消去プロファイル、そして結果として、あらゆる攻撃者ＴＸから、あらゆる被害者ＲＸへの最適または所望の絶縁を達成するため、受動消去回路網のパラメータを調整するデバイスの一部であるコンピュータ読み取り可能なメモリに含まれる補正アルゴリズムと組み合わせられうる。上記補正アルゴリズムは、温度の変化またはアンテナ・ポートの不一致のような環境の変化に応じて、動作の間、一度または複数回、実行されうる。上記補正アルゴリズムは、マルチ無線通信システムにおいて、各々のＴＸとＲＸとの対について複数回実行されてもよい。
【００８８】
上記アルゴリズムは、たとえばＴＸ帯域、変調、持続波（ｃｏｎｔｉｎｕｏｕｓ  ｗａｖｅ）またはノイズのＴＸ信号、あるいはＴＸポートに存在する他のあらゆるバンドの信号など、既存またはＴＸポートによって供給された信号を使用しうる。上記アルゴリズムは、受動消去回路網が内部的にサンプル（ｅｘａｍｐｌｅ）ＴＸ信号を生成することを要求することができ、内部的にそれをＴＸポートに適用する。上記信号は、単一トーン、マルチ・トーンまたは確率論的信号（ｓｔｏｃｈａｓｔｉｃ  ｓｉｇｎａｌ）の類のノイズであってもよい。上記アルゴリズムは、最適解を見つけるため、決定性計算、相関に基づく方法（ｃｏｒｒｅｌａｔｉｏｎ−ｂａｓｅｄ  ａｐｐｒｏａｃｈｅｓ）を使用しうる。
【００８９】
図１４は、受動消去回路網の一例である。補正回路１４０３は、信号を回路網のＴＸポートに適用しうる。それは、また、回路網のＲＸポートから信号を検出または測定しうる。適切な信号処理の後、補正回路１４０３は、所望の消去結果に従って、受動消去回路網４０７および／または４０９のパラメータを調整しうる。
【００９０】
図１５は、受動消去回路網を最適化するために使用されうるアルゴリズムの一例を示す。ステップ１において、受動消去回路網のパラメータは、新しい値に固定されうる。たとえば、位相シフタの位相は、固定値に設定されうる。ステップ２において、上記信号はＴＸポートに送信されうる。上記信号は、既に攻撃者ＴＸからのポートに存在してもよいし、あるいは受動消去回路網によって内部で生成されてもよい。ステップ３において、リーク・パスに加えて、信号が消去パス伝達関数を通過する結果、ＲＸポートにおける全体の受信信号が測定されうる。このステップの間、上記受信信号と既知のいくつかの信号との相関のような、追加の信号処理が実行されうる。あるいは、上記受信信号は、ＴＸからＲＸへの全体的な伝達関数方程式を形成するためにただ使用されうる。ステップ４において、上記プロセスは、すべての未知数を解く十分な方程式を得るために繰り返されうる。必要とされる方程式の数は、受動消去回路網の未知パラメータ（たとえば、アッテネータの減衰設定および位相シフタの位相）の数に依存しうる。
【００９１】
上記補正は、マルチＴＸマルチＲＸ無線通信機まで広げられうる。ここで、上記補正は、各々のＲＸ−ＴＸ対間の絶縁を強化する各々の受動消去回路網のために繰り返されうる。
【００９２】
説明された上記構成要素、ステップ、特徴、目的、便益および利点は、一例に過ぎない。それらのいずれも、それらに関する考察も、いかなる形であれ保護範囲を制限することを目的としない。多くの他の実施形態も検討される。これらは、構成要素、ステップ、特徴、目的、便益および利点をより少し、追加的におよび／または異なるようにする実施形態を含む。これらは、構成要素および／またはステップが異なって配置および／または順序付けられる実施形態も含む。
【００９３】
たとえば、受動消去回路網は、ＲＸ帯域またはＴＸ帯域のうちの一方のためにだけ、絶縁を強化するために使用されうる。あるいは、受動消去回路網は、ＴＸまたはＲＸ帯域以外の他の周波数帯、たとえばＲＸ帯域またはＴＸ帯域の調和波周波数（ｈａｒｍｏｎｉｃ  ｆｒｅｑｕｅｎｃｉｅｓ）の帯域の絶縁を強化するために使用されうる。受動消去回路網のさまざまな部分は、性能を向上させるため、あるいはシステム・インテグレーションを単純化するために、物理的に切り離され、無線通信の異なる場所に配置されうる。受動消去回路網の変化は、キャリアアグリゲーション（ｃａｒｒｉｅｒ  ａｇｇｒｅｇａｔｉｏｎ）の種々のシナリオを支持しうる無線デバイスの精巧なＲＦ−フロントエンド・モジュールにおける新たな絶縁要求に対処するために使用されうる。
【００９４】
とくに明記しない限り、すべての測定、値、定格、位置、大きさ、サイズ、および後に続く請求項を含む本明細書に記載される他の仕様は概算であり、正確ではない。それらは、それらが関係する機能、ならびに、それらが関係する技術において慣習的であることに整合する合理的範囲を有することを目的とする。
【００９５】
この開示において引用されたすべての論文、特許、特許出願および他の刊行物は、本願明細書に引用したものとする。
【００９６】
請求項において使用される「ための手段」という語句は、上述された対応する構成および材料とその均等物とを包含するように意図され、解釈されるべきである。同様に、請求項において使用される「ためのステップ」という語句は、上述された対応する機能とその均等物とを包含するように意図され、解釈されるべきである。これらの語句が請求項に存在しないことは、これらの対応する構成、材料または行為にまたはそれらの均等物に限定されることを意図するものではないし、解釈されるべきではない。
【００９７】
上記保護範囲は、以下の請求項のみにより限定される。上記範囲は、特定の意味が記載された場合を除き、本明細書の記載および後の審査履歴を考慮して解釈されるとき、請求項中に使用される言葉の通常の意味と一貫する範囲の広さであり、すべての構成的および機能的な均等物を含むことを意図し、解釈されなければならない。
【００９８】
たとえば「第１の」および「第２の」のような関係語（ｒｅｌａｔｉｏｎａｌ  ｔｅｒｍｓ）が、それらの間でいかなる実際の関係または順序を必ずしも要求または暗示せずに、単に１つの実体または動作を他と区別ために使用されうる。「有する」、「有している」という用語およびその他の変形したものは、明細書および請求項において要素のリストに関して使用されるとき、上記リストは排他的ではなく、他の要素も含まれうる。同様に、「ａ」または「ａｎ」によって先行される要素は、更なる制約なしで、同一タイプの付加的な要素の存在を排除しない。
【００９９】
請求項のいずれも特許法第１０１条、第１０２条、または第１０３条の要件を満たさない主題を含むことを意図しないし、それらはそのように解釈されてはならない。上記主題のいかなる意図しない範囲は、ここに否認される。ちょうどこの段落で述べられたことを除いて、請求項において記載されているか、あるいは記載されないかに関係なく、記載または説明されたことは、公に対して任意の構成要素、ステップ、特徴、目的、便益、利点または均等物の献身を生じさせることを意図してはおらず、解釈されるべきではない。
【０１００】
要約は、読者が技術的な開示の本質を素早く確認するのを助けるために提供される。それは、上記範囲または請求項の意味を解釈または制限するために用いないという了解の下で提出される。加えて、前述の詳細な説明の種々の特徴は、開示を簡素化するためにさまざまな実施形態においてまとめられる。開示のこの方法は、各々の請求項において明確に記載されるよりも多くの特徴を、請求された実施形態が必要とすることを要求していると解釈されてはならない。むしろ、以下の請求項が反映しているように、発明の主題は、単一の開示された実施形態のすべての特徴よりも少ない状態である。このように、以下の請求項は、各々の請求項が別々に要求された主題として独立しつつ、ここに、詳細な説明に取り込まれる。
【図１】
2016504855.tif 000003
【図２】
2016504855.tif 000004
【図３】
2016504855.tif 000005
【図４】
2016504855.tif 000006
【図５】
2016504855.tif 000007
【図６】
2016504855.tif 000008
【図７】
2016504855.tif 000009
【図８】
2016504855.tif 000010
【図９】
2016504855.tif 000011
【図１０】
2016504855.tif 000012
【図１１】
2016504855.tif 000013
【図１２】
2016504855.tif 000014
【図１３】
2016504855.tif 000015
【図１４】
2016504855.tif 000016
【図１５】
2016504855.tif 000017
【国際調査報告】
2016504855.tif 000018
2016504855.tif 000019